(57)【要約】      （修正有）【課題】無線通信においてサイレンスインターバルの指定及び利用を容易にする方法を提供する。【解決手段】サイレンスインターバルは、通信がインターバル中に停止するように規定されることができ、インターバル期間、インターバル中のオフセット、継続期間によって規定されることができ、この通信は、無線通信ネットワークにおいてモバイル装置から基地局への通信でありうる。この点に関して、基地局は、一例にはインターフェアレンス・オーバー・サーマル（ＩｏＴ）レベルを設定するようにサイレンス中に熱雑音を測定することができる。さらに、他のシステム及びネットワークは、公共安全装置及び／又はピアツーピア通信のように、伝送するためにサイレンスインターバルを使用することができる。無線モバイル装置は、サイレンスインターバル情報を受信して規定された期間中に通信を適切にブランクアウトにすることができる。【選択図】図５
2014014100.tif 000002
【特許請求の範囲】
【請求項１】
ＯＦＤＭシンボルを有する１以上のサブキャリアでの伝送を１以上の送信装置が停止することができる１以上のＯＦＤＭシンボル期間を有するサイレンスインターバルを決定することと、
前記サイレンスインターバル中にタスクを実行することと、
を具備する無線通信ネットワーク内でサイレンスインターバルを規定することを容易にする方法。
【請求項２】
前記実行されるタスクは、前記サイレンスインターバル中にアップリンク熱雑音を測定することである、請求項１の方法。
【請求項３】
１以上のモバイル装置に対して、インターバル期間、前記期間中のオフセット、及び／又は前記サイレンスインターバルの継続期間のうちの１つ以上を伝送することをさらに具備する請求項１の方法。
【請求項４】
前記インターバル期間、前記期間中のオフセット、及び／又は前記継続時間は、ブロードキャストメッセージの一部として伝送される、請求項３の方法。
【請求項５】
前記サイレンスインターバルの一部としてブランクアウトするためのサブバンドのサブセットを選定することをさらに具備する方法。
【請求項６】
前記実行されるタスクは、前記サイレンスインターバル中に公共安全又は長距離通信を受信することである、請求項１の方法。
【請求項７】
ピアツーピア装置通信は、前記サイレンスインターバル中に容易にされる、請求項１の方法。
【請求項８】
前記サイレンスインターバルは、前記１以上のＯＦＤＭシンボル期間のガードキャリアの数を増加させることによって規定される、請求項１の方法。
【請求項９】
サイレンスインターバル中に装置が伝送を停止するように、伝送帯域幅の１以上のＯＦＤＭシンボル期間の一部として前記サイレンスインターバルを規定するように構成される少なくとも１つのプロセッサと、
前記少なくとも１つのプロセッサに結合されるメモリと、
を具備する無線通信装置。
【請求項１０】
前記サイレンスインターバルは、スーパーフレームインターバル期間、前記スーパーフレーム中のオフセット、及び／又は継続時間のうちの１以上によって規定される、請求項９の無線通信装置。
【請求項１１】
前記サイレンスインターバルは、伝送を停止するサブバンドの一部によってさらに規定される、請求項１０の無線通信装置。
【請求項１２】
前記少なくとも１つのプロセッサは、ビーコン信号、前記ビーコン信号の一部として伝送される前記サイレンスインターバル規定を送信するようにさらに構成される、請求項１１の無線通信装置。
【請求項１３】
前記少なくとも１つのプロセッサは、１以上のモバイル装置からの最適量の干渉で動作することを容易にするように、インターフェアレンス・オーバー・サーマル（ＩｏＴ）メトリックを調節するようにさらに構成される、請求項９の無線通信装置。
【請求項１４】
前記少なくとも１つのプロセッサは、前記規定されたサイレンスインターバル中にアップリンクの熱雑音を測定し、且つ前記熱雑音に少なくとも部分的に基づいて前記ＩｏＴメトリックを調節するようにさらに構成される、請求項１３の無線通信装置。
【請求項１５】
前記少なくとも１つのプロセッサは、前記サイレンスインターバル中に１以上の公共安全通信を受信するようにさらに構成される、請求項９の無線通信装置。
【請求項１６】
１以上のＯＦＤＭシンボル期間の１以上の部分に基づいてサイレンスインターバルを作る手段と、
通信装置がサイレンスインターバル中に通信を停止することができるように、１以上の前記モバイル装置に前記サイレンスインターバルに関する情報を送信する手段と、
を具備する１以上のサイレンスインターバルを規定することを容易にする無線通信装置。
【請求項１７】
前記サイレンスインターバルは、インターバルＯＦＤＭシンボル期間、前記期間中のオフセット、及び／又は継続期間のうちの１以上によって規定される、請求項１６の無線通信装置。
【請求項１８】
前記サイレンスインターバル中にアップリンクの熱雑音レベルを測定する手段をさらに具備する、請求項１６の無線通信装置。
【請求項１９】
前記熱雑音に少なくとも部分的に基づいてインターフェアレンス・オーバー・サーマル（ＩｏＴ）レベルを調節する手段をさらに具備する、請求項１８の無線通信装置。
【請求項２０】
前記サイレンスインターバル中に高電力の公共安全通信又は範囲外の通信を受信する手段をさらに具備する、請求項１６の無線通信装置。
【請求項２１】
前記サイレンスインターバルに関連する前記情報は、ビーコン信号の一部として１以上のモバイル装置に伝送される、請求項１６の無線通信装置。
【請求項２２】
ピアツーピア通信は、前記サイレンスインターバル中に容易にされる、請求項１６の無線通信装置。
【請求項２３】
少なくとも１つのコンピュータに、１以上の送信装置が通信を停止することができる１以上のＯＦＤＭシンボル期間を有するサイレンスインターバルを決定させるためのコードと、
前記少なくとも１つのコンピュータに前記サイレンスインターバル中にタスクを実行させるためのコードと、
を備えるコンピュータ読取可能媒体を具備するコンピュータプログラム製品。
【請求項２４】
前記サイレンスインターバルは、ＯＦＤＭシンボル期間、前記期間中のオフセット、及び／又は継続期間のうちの１以上によって規定され、前記実行されるタスクは、送信器の熱雑音レベルを測定することである、請求項２３のコンピュータプログラム製品。
【請求項２５】
無線通信システム内で、
１以上のＯＦＤＭシンボル期間の１以上の部分に基づいてサイレンスインターバルを作り、
モバイル装置が前記サイレンスインターバル中に通信を停止することができるように、１以上の前記モバイル装置に前記サイレンスインターバルに関する情報を伝送する、
ように構成されるプロセッサと、
前記プロセッサに結合されるメモリと、
を具備する装置。
【請求項２６】
サイレンスインターバル中に通信を沈黙させることを容易にする方法であって、
１以上のＯＦＤＭシンボル期間の１以上の部分に関連するサイレンスインターバルメトリックを得ることと、
前記サイレンスインターバル中に伝送を沈黙させることと、
を具備する方法。
【請求項２７】
前記サイレンスインターバルは、スーパーフレームのＯＦＤＭインターバルシンボル期間、前記サイレンスインターバルを開始するためのスーパーフレーム中のオフセット、及び前記サイレンスインターバルの継続時間によって規定される、請求項２６の方法。
【請求項２８】
前記伝送を沈黙させることは、前記規定されたサイレンスインターバルの一部である１以上の物理（ＰＨＹ）伝送フレームの関連するサブバンドを遮ることを有し、このサブバンドは、少なくとも制御又はデータチャネルに対して規定する、請求項２６の方法。
【請求項２９】
前記関連サブバンドは、伝送に利用可能な略全てのサブバンドを有する、請求項２８の方法。
【請求項３０】
前記伝送を沈黙させることは、基地局の熱雑音測定を容易にする、請求項２６の方法。
【請求項３１】
前記サイレンスインターバル中にモバイル装置とピアツーピア通信することをさらに具備する請求項２６の方法。
【請求項３２】
緊急情報を伝達するために、前記サイレンスインターバル中に他の範囲外の無線通信装置と通信するために高電力で伝送することを具備する請求項２６の方法。
【請求項３３】
前記サイレンスインターバルメトリックは、前記サイレンスの発生を要求する基地局から得られる、請求項２６の方法。
【請求項３４】
前記サイレンスインターバルメトリックは、ビーコン信号によって前記基地局から受信される、請求項３３の方法。
【請求項３５】
サイレンスインターバル中に、サイレンスのための、且つサイレンス通信のためのＯＦＤＭインターバル期間を有するサイレンスインターバル規定を受信するように構成される少なくとも１つのプロセッサと、
前記少なくとも１つのプロセッサに結合されるメモリと、
を具備する無線通信装置。
【請求項３６】
前記サイレンスインターバル規定は、ＯＦＤＭスーパーフレーム、前記スーパーフレーム中のオフセット、及び継続時間を有する、請求項３５の無線通信装置。
【請求項３７】
前記サイレンスインターバル規定は、前記サイレンスインターバル中に沈黙させられるべきサブバンドの一部をさらに有する、請求項３６の無線通信装置。
【請求項３８】
前記サイレンスインターバル規定は、前記サイレンスインターバル中に熱雑音を測定するように要求する基地局から受信される、請求項３５の無線通信装置。
【請求項３９】
前記少なくとも１つのプロセッサは、前記サイレンスインターバル中に他の無線通信装置とピアツーピア通信するようにさらに構成される、請求項３５の無線通信装置。
【請求項４０】
前記少なくとも１つのプロセッサは、前記サイレンスインターバル中に高電力の緊急信号を伝送するようにさらに構成される、請求項３５の無線通信装置。
【請求項４１】
前記サイレンスインターバル規定は、前記サイレンスの発生を要求する基地局から受信される、請求項３５の無線通信装置。
【請求項４２】
サイレンスインターバル規定を受信する手段と、
ＯＦＤＭインターバル期間及び前記期間中のオフセットに基づいて前記サイレンスインターバルの開始を伝出する手段と、
指定された継続期間に前記サイレンスインターバルの開始に通信を停止する手段と、
を具備するサイレンスインターバル中にサイレンスを達成するための無線通信装置。
【請求項４３】
前記サイレンスインターバル規定によってさらに指定されるように１以上のサブバンドを沈黙させる手段をさらに具備する請求項４２の無線通信装置。
【請求項４４】
前記通信を停止することは、基地局の熱雑音測定を容易にする、請求項４２の無線通信装置。
【請求項４５】
前記基地局は、前記無線通信装置に前記サイレンスインターバル規定を伝送する、請求項４４の無線通信装置。
【請求項４６】
前記サイレンスインターバル中にモバイル装置とピアツーピア通信することをさらに具備する請求項４２の無線通信装置。
【請求項４７】
緊急情報を伝達するために、前記サイレンスインターバル中に他の範囲外の無線通信装置と通信するために、高電力で伝送することをさらに具備する請求項４２の無線通信装置。
【請求項４８】
少なくとも１つのコンピュータに、１以上のＯＦＤＭシンボル期間の１以上の部分に関連するサイレンスインターバルメトリックを得るようにさせるためのコードと、
少なくとも１つのコンピュータに、前記サイレンスインターバル中に伝送を沈黙させるためのコードと、
を有するコンピュータ読取可能媒体を具備するコンピュータプログラム製品。
【請求項４９】
前記サイレンスインターバルは、スーパーフレームのＯＦＤＭインターバルシンボル期間、前記サイレンスインターバルを開始するための前記スーパーフレーム中のオフセット、及び前記サイレンスインターバルの継続期間によって規定される、請求項４８のコンピュータプログラム製品。
【請求項５０】
無線通信システム内で、
サイレンスインターバル規定を受信し、
ＯＦＤＭインターバル期間及び前記期間中のオフセットに基づいてサイレンスインターバルの開始を検出し、
指定された継続期間に、前記サイレンスインターバルの開始に通信を停止する、
ように構成されるプロセッサと、
前記プロセッサに結合されるメモリと、
を具備する装置。
【発明の詳細な説明】
【技術分野】
【０００１】
[関連出願の相互参照]
本発明は、２００６年１０月２６日に出願され、「A METHOD AND APPARATUS FOR SILENCE INTERVAL IN A WIRELESS COMMUNICATION SYSTEM（無線通信システムにおけるサイレンスインターバルのための方法及び装置）」と題された米国仮特許出願第６０／８６３，１３１号の利益を主張する。上記の出願の全ては、参照として本明細書に組み込まれる。
【０００２】
[技術分野]
本発明は、一般に、無線通信に係り、特に、無線通信システムにおいてサイレンスインターバルを規定することに関する。
【背景技術】
【０００３】
無線通信システムは、種々のタイプの通信コンテンツ、例えば、音声及びデータ等を提供するように広く開発されている。一般の無線通信システムは、利用可能なシステムリソース（例えば、帯域幅、送信電力等）の共有により複数のユーザとの通信をサポートすることができる多元接続システムとされている。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含むことができる。
【０００４】
一般に、無線多元接続通信システムは、複数のモバイル装置に対して通信を同時にサポートすることができる。モバイル装置は、順方向及び逆方向リンクでの伝送を介して１以上の基地局と通信することができる。順方向リンク（即ち、ダウンリンク）は、基地局からモバイル装置への通信リンクを指し、逆方向リンク（即ち、アップリンク）は、モバイル装置から基地局への通信リンクを指す。さらに、モバイル装置及び基地局間の通信は、単一入力単一出力（ＳＩＳＯ）システム、多入力単一出力（ＭＩＳＯ）システム、多入力多出力（ＭＩＭＯ）システム等によって確立されることができる。
【０００５】
このようなシステムでは、基地局又は他のアクセスポイントは、複数のモバイル装置（例えば、携帯電話等）で消費可能なブロードキャスト信号を送信して、基地局の存在に関連する情報、及びそれに関連する他の情報を提供することができる。例えば、情報は、基地局との通信を開始するためのプロトコルを含むことができる。基地局は、複数のキャリアのために設けることができ、例えば、これらは、夫々ＭＩＭＯ構成の複数のモバイル装置に順方向リンクを介してブロードキャスト信号を送信することができる。ブロードキャスト信号は、連続又は隣接した周波数を使用して、同様のチャネルで送信されることができる。基地局は、逆方向リンクでモバイル装置から通信を受信することができ、それは、装置及び／又は基地局の間に干渉をもたらすことがある。しかしながら、あるレベルの干渉は、装置が充分な電力で伝送することが可能となるように要求されることができる。
【発明の概要】
【０００６】
以下は、実施形態の基本的な理解を提供するために１以上の実施形態の簡略化された概要を示している。この概要は、全ての検討された実施形態の広範な外観ではなく、全実施形態の主要又は重要な要素を特定するものでもなく、いくらかの実施形態又は全実施形態の範囲を定めるものでもないように意図される。唯一の目的は、後に示されるより詳細な説明の前置きとして、簡略化された形式で１以上の実施形態のいくつかの概念を示すことにある。
【０００７】
１以上の実施形態及びその対応する開示に従って、種々の態様は、基地局アップリンクにおける熱測定、ピアツーピア通信及び公共安全装置伝送等を可能にするように、無線通信システムに関連するサイレンスインターバルの規定及び利用を容易にすることに関連して記述される。サイレンスインターバルは、一例では、基地局によって規定されて、モバイル装置に送信されることができ、また一方では、サイレンスインターバルは、種々の装置においてプリコードされてもよく、推定から決定されてもよく、他の情報に基づいて決定されてもよい。
【０００８】
関連する態様に従って、無線通信ネットワーク内でサイレンスインターバルを規定することを容易にする方法が本明細書に記述される。この方法は、１以上の送信装置を沈黙させる（silencing）ために、インターバル期間、期間中のオフセット、及び継続期間を含むサイレンスインターバルを決定することを具備することができる。この方法は、前記サイレンスインターバル中にアップリンク熱雑音レベルを測定することをさらに具備することができる。
【０００９】
他の態様は、１以上のサイレンスインターバルを規定することを容易にする無線通信装置に関連している。この無線通信装置は、サイレンスインターバル中に装置が伝送を停止するように、伝送帯域幅の１以上のＯＦＤＭシンボル期間の一部として前記サイレンスインターバルを規定するように構成される少なくとも１つのプロセッサを含むことができる。この無線通信装置は、前記少なくとも１つのプロセッサに結合されたメモリをさらに含むことができる。
【００１０】
また他の態様は、１以上のサイレンスインターバルを規定することを容易にする無線通信装置に関連している。この無線通信装置は、１以上のＯＦＤＭシンボル期間の１以上の部分に基づいて、サイレンスインターバルを作る手段を含むことができる。さらに、この無線通信装置は、前記サイレンスインターバル中にモバイル装置が通信を停止することができるように、１以上の前記モバイル装置に前記サイレンスインターバルに関する情報を送信する手段をさらに含むことができる。
【００１１】
さらに他の態様は、コンピュータプログラム製品に関連し、このコンピュータプログラム製品は、少なくとも１つのコンピュータに、１以上の送信装置が通信を停止することができる１以上のＯＦＤＭシンボル期間を有するサイレンスインターバルを決定させるためのコードを含むコンピュータ読取可能媒体を備えることができる。さらに、前記コードは、前記少なくとも１つのコンピュータに前記サイレンスインターバル中にタスクをさらに実行させることができる。
【００１２】
他の態様に従って、無線通信システム内の装置は、１以上のＯＦＤＭシンボル周期の１以上の部分に基づいてサイレンスインターバルを作り、且つ前記サイレンスインターバル中にモバイル装置が通信を停止するように、１以上の前記モバイル装置に前記サイレンスインターバルに関する情報を送信するように構成されるプロセッサを含むことができる。さらに、この装置は、前記プロセッサに結合されるメモリを含むことができる。
【００１３】
さらに他の態様に従って、サイレンスインターバル中に通信を沈黙させることを容易にする方法が本明細書に記述される。この方法は、スーパーフレームのインターバル期間、前記スーパーフレーム中のオフセット及び継続期間を含むサイレンスインターバルメトリックを得ることを含むことができる。この方法は、サイレンスインターバルの一部である１以上の物理（ＰＨＹ）送信フレームの該当サブバンドをブランクアウトすることを含むことができる。
【００１４】
他の態様は、無線通信装置に関連している。この無線通信装置は、サイレンス及びサイレンスインターバル中のサイレンス通信のためのＯＦＤＭインターバル期間を有する前記サイレンスインターバル規定を受信するように構成される少なくとも１つのプロセッサを含むことができる。この無線通信装置は、前記少なくとも１つのプロセッサに結合されるメモリを含むことができる。
【００１５】
また他の様態は、サイレンスインターバル中にサイレンスを達成する無線通信装置に関連している。この無線通信装置は、前記サイレンスインターバル規定を受信する手段と、ＯＦＤＭインターバル期間及び前記期間中のオフセットに基づいて前記サイレンスインターバルの開始を検出する手段と、を含むことができる。この無線通信装置は、前記サイレンスインターバルの前記開始から指定された継続期間中。通信を停止する手段をさらに含むことができる。
【００１６】
さらに他の態様は、コンピュータプログラム製品に関連し、このコンピュータプログラム製品は、少なくとも１つのコンピュータに、１以上のＯＦＤＭシンボル期間の１以上の部分に関連するサイレンスインターバルメトリックを取得させるためのコードを含むコンピュータ読取可能媒体を備えることができる。前記コードは、前記少なくとも１つのコンピュータに、前記サイレンスインターバル中伝送をさらに沈黙させることができる。
【００１７】
他の態様に従って、装置は、サイレンスインターバル規定を受信し、ＯＦＤＭインターバル期間及び前記期間中のオフセットに基づいて前記サイレンスインターバルの開始を検出し、サイレンスインターバルの前記開始から指定された継続期間中、通信を停止するように構成されたプロセッサを含む無線通信システム内に提供されることができる。さらに、この装置は、前記プロセッサに結合されたメモリを含むことができる。
【００１８】
上述の及び関連した目的の達成のために、１以上の実施形態には、以下に充分に記述され、且つ特許請求の範囲に特に指摘される特徴が含まれる。以下の記述及び添付の図面は、１以上の実施形態の特定の実例となる態様を詳細に説明する。しかしながら、これらの態様は、種々の実施形態の原理が使用されることができる種々の方法のほんの数例を示しており、記述された実施形態は、全てのこのような態様及びそれらの等価物を含むように意図される。
【図面の簡単な説明】
【００１９】
【図１】図１は、本明細書に説明される種々の態様に従った無線通信システムの説明図である。
【図２】図２は、無線通信環境での使用のための無線装置例の説明図である。
【図３】図３は、サイレンスインターバルの規定及び使用を達成する無線通信システム例の説明図である。
【図４】図４は、サイレンスインターバルを規定する帯域幅例の説明図である。
【図５】図５は、サイレンスインターバルを規定して伝送することを容易にする手順例の説明図である。
【図６】図６は、サイレンスインターバルを受信して実行することを容易にする手順例の説明図である。
【図７】図７は、サイレンスインターバル中に通信を沈黙させることを容易にするモバイル装置例の説明図である。
【図８】図８は、サイレンスインターバルを規定してインターフェアレンス・オーバー・サーマル（ＩｏＴ）を調整することを容易にするシステム例の説明図である。
【図９】図９は、本明細書に記述される種々のシステム及び方法と併せて使用されることができる無線通信環境例の説明図である。
【図１０】図１０は、規定されたサイレンスインターバル中に熱雑音を測定するシステム例の説明図である。
【図１１】図１１は、サイレンスインターバル中に通信を停止するシステム例の説明図である。
【詳細な説明】
【００２０】
種々の実施形態は、図面を参照して記述され、図面を通して、同様の参照数字は、同様の構成要素を指すものとして使用される。以下の記述では、説明の目的で、複数の具体的な詳細は、１以上の実施形態の充分な理解を提供するために説明される。しかしながら、そのような（１又は複数の）実施形態がこれらの具体的な詳細なしに実施されることができるのは、明らかである。他の例では、公知の構造及び装置は、１以上の実施形態の記述を容易にするためにブロック図の形態で示されている。
【００２１】
本出願に使用されるように、用語「構成要素」、「モジュール」及び「システム」等は、コンピュータ関連のエンティティ（entity）、ハードウェア、ファームウェア、ハードウェア及びソフトウェアの組み合わせ、ソフトウェア、又は実行中のソフトウェアのいずれかを指すように意図される。例えば、構成要素は、プロセッサ上で実行するプロセス、プロセッサ、オブジェクト、実行ファイル、実行のスレッド、プログラム、及び／又はコンピュータであってもよいが、これらに限定されない。説明を通して、コンピュータ装置上で実行するアプリケーション及びコンピュータ装置の両方は、構成要素でありうる。１以上の構成要素は、プロセス及び／又は実行のスレッド内に備えられていて、構成要素は、１つのコンピュータに局在化されてもよく、及び／又は２以上のコンピュータに分散されてもよい。さらに、これらの構成要素は、種々のデータ構造を記憶して有する種々のコンピュータ読取可能媒体から実行することができる。構成要素は、１以上のデータパケット（例えば、ローカルシステム内で、分散システム内で、及び／又は信号によって他のシステムと情報をやりとりするインターネットのようなネットワークを介して、他の構成要素と情報をやりとりする１つの構成要素からのデータ）を有する信号に従って、ローカル及び／又は遠隔プロセスを介して通信することができる。
【００２２】
さらに、種々の実施形態は、モバイル装置に関連して本明細書に記述される。モバイル装置は、システム、加入者ユニット、加入者局、移動局、携帯電話、遠隔局、遠隔端末、アクセス端末、ユーザ端末、端末、無線通信装置、ユーザエージェント、ユーザ装置、又はユーザ設備（ＵＥ）と称されることもある。モバイル装置は、携帯電話、コードレス電話、セッション確率プロトコル（ＳＩＰ）電話、ワイヤレス・ローカル・ループ（ＷＬＬ）局、携帯情報端末（ＰＤＡ）、無線接続能力を有する携帯型の装置、コンピュータ装置、又は無線モデムに接続された他の制御演算装置であってもよい。さらに、種々の実施形態は、基地局に関連して本明細書に記述される。基地局は、（複数の）モバイル装置と通信するために利用され、アクセスポイント、ノードＢ、又はいくつかの他の用語で称されてもよい。
【００２３】
さらに、本明細書に記述された種々態様又は特徴は、方法、装置、又は標準のプログラミング及び／又は工学手法を使用する製品として実施されてもよい。本明細書に使用されるような用語「製品」は、いかなるコンピュータ読み出し可能な装置、キャリア又は媒体からアクセス可能なコンピュータプログラムを包含するように意図される。例えば、コンピュータ読み出し可能な媒体は、磁気記憶装置（例えば、ハードディスク、フロッピー（登録商標）ディスク、磁気ストリップ等）、光ディスク（例えば、コンパクト・ディスク（ＣＤ）、デジタル多用途ディスク（ＤＶＤ）等）、スマートカード及びフラッシュメモリ装置（例えば、ＥＰＲＯＭ、カード、スティック、キードライブ等）を含むことができるが、これらに限定されない。さらに、本明細書に記述された種々の記憶媒体は、情報を格納するための１以上の装置及び／又は他のコンピュータ読み出し可能な媒体を示すことができる。用語「コンピュータ読み出し可能な媒体」は、無線チャネル、並びに（１又は複数の）命令及び／又はデータを格納可能、収容可能、及び／又は運搬可能な種々の他の媒体を含むことができるが、これらに限定されない。
【００２４】
次に、図１を参照すると、無線通信システム１００は、明細書に示された種々の実施形態に従って示されている。システム１００は、複数のアンテナグループを含むことができる基地局１０２を備えている。例えば、あるアンテナグループは、アンテナ１０４及び１０６を含むことができ、他のグループは、アンテナ１０８及び１１０を含むことができる。また、追加グループは、アンテナ１１２及び１１４を含むことができる。２つのアンテナがアンテナグループ毎に示されているが、より多数のアンテナ又はより少数のアンテナがグループ毎に利用されてもよい。基地局１０２は、送信機チェーン及び受信機チェーンを含むことができ、当業者には認識されるように、これらは、夫々信号伝送及び受信に関連する複数の構成要素（例えば、プロセッサ、変調器、マルチプレクサ、復調器、デマルチプレクサ、アンテナ等）を備えることができる。
【００２５】
基地局１０２は、１以上のモバイル装置、例えば、モバイル装置１１６及びモバイル装置１２２等と通信することができるが、基地局１０２がモバイル装置１１６及び１２２と同等の複数のモバイル装置と実質的に通信可能なことは、充分に理解されるべきである。モバイル装置１１６及び１２２は、例えば、携帯電話、スマートフォン、ラップトップ、携帯型の通信装置、携帯型のコンピュータ装置、衛星ラジオ、全地球測位システム、ＰＤＡ及び／又は無線通信システム１００上で通信するための他の好適な装置であることができる。図示されるように、モバイル装置１１６は、アンテナ１１２及び１１４と通信しており、アンテナ１１２及び１１４は、順方向リンク１１８上でモバイル装置１１６に情報を伝送し、逆方向リンク１２０でモバイル装置１１６から情報を受信する。モバイル装置１２２は、アンテナ１０４及び１０６と通信しており、アンテナ１０４及び１０６は、順方向リンク１２４上でモバイル装置１２２に情報を伝送し、逆方向リンク１２６でモバイル装置１２２から情報を受信する。周波数分割複信（ＦＤＤ）システムでは、例えば、順方向リンク１１８は、逆方向リンク１２０によって使用される周波数帯と異なる周波数帯を使用することができ、順方向リンク１２４は、逆方向リンク１２６によって使用される周波数帯と異なる周波数帯を使用することができる。さらに、時分割複信（ＴＤＤ）システムでは、順方向リンク１１８及び逆方向リンク１２０は、共通の周波数帯を使用することができ、順方向リンク１２４及び逆方向リンク１２６は、共通の周波数帯を使用することができる。
【００２６】
アンテナの各グループ及び／又はそれらが通信するように指定されたエリアは、基地局１０２のセクタと称されることもできる。例えば、アンテナグループは、基地局１０２によってカバーされたエリアのセクタ内のモバイル装置と通信するように設計されることができる。順方向リンク１１８及び１２４上の通信では、基地局１０２の送信アンテナは、ビームフォーミングを利用して、モバイル装置１１６及び１２２のための順方向リンク１１８及び１２４の信号対雑音比を向上させることができる。さらに、基地局１０２が関連するサービスエリアの至る所に散在されたモバイル装置１１６及び１２２へ伝送するためにビームフォーミングを利用する間は、近接セル内のモバイル装置は、全てのモバイル装置に対して１つのアンテナを介して伝送する基地局ほどには、干渉の影響を受けないことがありうる。
【００２７】
一例に従って、システム１００は、多入力多出力（ＭＩＭＯ）通信システムであることができる。さらに、システム１００は、通信チャネル（例えば、順方向リンク、逆方向リンク等）を分割するためにあらゆるタイプの多重化技術、例えば、ＦＤＤ及びＴＤＤ等を実質的に利用することができる。一例では、１以上のサイレンスインターバルは、基地局１０２並びにモバイル装置１１６及び１２２を含むネットワーク内での通信中に存在することができる。サイレンスインターバル中において、モバイル装置１１６及び１２２は、基地局１０２が熱雑音（thermal noise）レベルを測定することを可能にするこのインターバルの間ずっと信号伝送を停止することができる。この情報に基づいて、基地局１０２は、熱雑音レベルに基づいて干渉レベルに対してスループットを最大化するためにインターフェアレンス・オーバー・サーマル（ＩｏＴ：interference over thermal）を決定又は修正することができる。例えば、より多くの干渉は、より高い送信電力を可能にすることができ、従って、よりよい通信品質及び効率を可能にすることができる。しかしながら、基地局１０２が装置からの通信を解釈することを阻害するレベルに干渉が増大する場合、干渉の増大は、利得を上回る可能性がある。従って、基地局１０２は、その環境における最適のＩｏＴ比及びレベルを保持することが好ましい。同期された装置が高精度及び一貫性を有して期間に伝送を中断することができるように、これが同期構成で実施されることができるのは、認識されるべきである。
【００２８】
一例では、基地局１０２は、サイレンスインターバル、及び関与するのに必要なメトリック（metrics）（例えば、サイレンスインターバルを含むスーパーフレーム、サイレンスを開始するためのスーパーフレーム中のオフセット、及び／又はその継続期間）に関してモバイル装置１１６及び１２２に情報を与えることができる。さらに又は代わりに、モバイル装置１１６及び１２２は、この情報で予め設定されることができる。さらに、一例では、サイレンスインターバルは、他のネットワーク又はシステムに関連する通信に使用されることができる。１以上のサイレンスインターバルは、例えば、公共安全装置が通信システム１００内の他の装置向けのサイレンスインターバル中に最小の干渉で高エネルギーを伝送することを可能にするように、公共安全システムのために用意されることができる。この点に関して、公共安全装置は、重要情報を確実に伝送することができ、さらに離れた場所から、又はより弱い信号のエリア内でそのようにすることができる。一例では、サイレンスインターバルは、ピアツーピア（例えば、モバイル装置１１６からモバイル装置１２２への）通信にも同様に使用されることができる。このように、例えば、モバイル装置１１６及び１２２は、基地局１０２と他の装置との間の信号を妨害することなく通信することができる。
【００２９】
図２を参照すると、無線通信環境向けの通信装置２００が示されている。通信装置２００は、例えば、基地局、モバイル装置、又はその一部分であることができる。通信装置２００は、例えば、無線移動体通信のアップリンク又はクロスデバイス通信が沈黙させられる（silenced）ことができる時点を決定及び／又は伝達するサイレンスインターバル指定子（specifier）２０２と、順方向又は逆方向リンク上で通信を伝送又は送信する送信器２０４と、を含むことができる。一例では、サイレンスインターバル指定子２０２は、サイレンスインターバルが開始することになる期間、サイレンスインターバルの開始のための期間中の時点（point）に関連する期間中のオフセット、及びサイレンスインターバルが継続する継続期間によって規定されるサイレンスインターバルを決定することができ、送信器２０４は、サイレンスインターバル中に通信を停止することができる。一例では、期間は、連続するサイレンスインターバル間の継続期間を意味して、サイレンスインターバルの周期性を指すことができる。これは、例えば、あらゆる１０のスーパーフレームにおいて１つのスーパーフレームおきに、或いは２つの連続するスーパーフレームおきに、というように、時間間隔の定められた期間における特定数の時間間隔であることができる。
【００３０】
一例に従って、通信装置２００は、順方向リンクのブロードキャスト信号が基地局によって伝送されることができ、且つ逆方向リンクのブロードキャスト信号がモバイル装置によって伝送されることができるＦＤＤ・ＭＩＭＯシステム内で利用されることができる。通信装置２００は、同期無線通信ネットワークに関与する基地局又は他のアクセスポイントであることができる。サイレンスインターバル指定子２０２は、無線通信中に達成される１以上のサイレンスインターバルを規定することができる。サイレンスインターバルは、時間間隔中に、時間間隔中のオフセットに従って、及び継続期間中に規定されることができ、それら全ては、ＯＦＤＭシンボル、フレーム（例えば、ＰＨＹフレーム）、スーパーフレーム及び同種のもののユニット内にありうる。無線通信構成では、例えば、利用可能な帯域幅は、各々が情報を送信するための１以上のサブキャリアを有する複数のＯＦＤＭシンボルを含むことができる。ＯＦＤＭシンボルは、シンボル期間に関連することができ、通信の単位時間を定めるフレーム又はスーパーフレーム中に含まれることができる。一例では、利用可能な帯域幅は、周波数領域でサブバンドのセットに分割されることができ、サブバンドマスクは、サブバンドの一部分だけがサイレンスインターバルに使用されることができるように指定されることができる。サイレンスインターバルは、例えば、構成パラメータとしてネットワーク計画中に指定されることができ、管理者又は他の装置による操作中に指定されることができ、及び／又は熱雑音測定が望まれる場合等に通信装置２００によって指定されることができる。基地局等に従った一例では、頻繁に測定される必要がないように熱雑音がいくらか一定であり続けることがありうるのは、認識されるべきである。さらに又はこの代わりに、サイレンスインターバルは、追加パラメータ、例えば、熱雑音レベル又はその非一貫性、通信装置２００と通信する複数の装置、周囲の基地局の間隔、通信ネットワーク又は基礎をなすネットワーク上の他の装置等に基づいて決定されることができる。さらに、一例では、サイレンスインターバルは、ブロードキャストオーバーヘッドメッセージを使用する装置２００又は他の装置に伝送されることができ、これは、例えば、構成情報を伝達するために１以上の基地局によって周期的に伝送されることができる。
【００３１】
一例では、送信器２０４は、例えば、ビーコンメッセージの一部分、或いは他の初期及び／又は構成通信として、１以上のモバイル装置へ決定されたサイレンスインターバルを送信することができる。この点に関して、モバイル装置は、効率的な熱雑音測定のためのコンプライアンス（compliance）を保証するために、基地局との初期の通信中にサイレンスインターバル情報を得ることができる。
【００３２】
他の例に従って、通信装置２００は、記述されたものと実質的に同様の方法でサイレンスインターバル指定子２０２によってサイレンスインターバルを規定することができ、且つ１以上の他の装置又はアクセスポイントにインターバル情報を伝送することができるモバイル装置又は他のアクセス端末でありうる。さらに、通信装置２００は、伝送されたサイレンスインターバル情報を受信することができ、期間中に送信器２０４を沈黙させるためにこの情報を使用することができる。例えば、受信されたサイレンスインターバル情報は、上述されたような１以上のシンボル期間又はスーパーフレーム等の期間、オフセット及び継続期間によって規定されたサイレンスインターバルを特定することができる。通信装置２００は、規定された期間において、オフセットから継続期間の間、送信器を沈黙させることができる。種々の装置又はアクセス端末間で沈黙させることを効率的に容易にするように、通信ネットワークが同期でありうることは、充分に理解されるべきである。この点に関して、熱雑音検出は、１以上の通信装置２００において容易になりうる。決定された熱雑音レベルは、ＩｏＴレベルを計算又は制御するために１以上の電力制御アルゴリズムによって使用されることができる。さらに、他の装置は、公共安全又は非常に弱い信号を有する端末等に対して、高電力の情報を伝送するためにサイレンスインターバルを使用することができる。さらに、サイレンスインターバルは、ピアツーピア（例えば、アクセス端末からアクセス端末への通信）に使用されることができる。
【００３３】
次に、図３を参照すると、１以上のサイレンスインターバルを規定及び利用することを達成する無線通信システム３００が示されている。無線通信システム３００は、モバイル装置３０４（及び／又は任意の数の本質的に異なるモバイル装置（図示せず））と通信する基地局３０２を含む。基地局３０２は、例えば、順方向リンクチャネル上でモバイル装置３０４に情報を伝送することができ、さらに、基地局３０２は、逆方向リンクチャネル上でモバイル装置３０４から情報を受信することができる。さらに、無線通信システム３００は、一例にはＭＩＭＯシステムであることができ、例えば、時間同期されたイベントを容易にする同期ベースシステムであることができる。
【００３４】
基地局３０２は、記述されるようなインターバル期間、オフセット及び継続時間に基づいて、サイレンスインターバルを指定することができるサイレンスインターバルデファイナ（definer）３０６と、１以上のモバイル装置３０４と通信する、或いは１以上のモバイル装置３０４に送信する送信器３０８と、基地局３０２に関する熱雑音レベルを測定することができる熱雑音測定器３１０と、測定された熱雑音に少なくとも部分的に基づいてアップリンク電力を調節することができる電力調節器３１２を備えることができる。サイレンスインターバルデファイナ３０６は、一例には、モバイル装置３０４によって受信された情報に少なくとも部分的に基づいて使用されるサイレンスインターバルを指定することができる。決定又は指定されたサイレンスインターバル情報は、送信器３０８によって１以上のモバイル装置３０４に伝送されることができる。これは、一例には、ビーコン又は他の初期通信の一部であることができる。
【００３５】
モバイル装置３０４は、サイレンスインターバル中に送信器３１６を沈黙させる通信サイレンサ３１４を備えることができる。一例では、記述されるように、サイレンスインターバルは、それが適用されるサブバンドを特定することができ、これは、利用可能な伝送帯域幅の一部、並びに／又は複数の連続期間及び周波数トーンであることができる。この場合、通信サイレンサ３１４は、例えば、必要なサブバンドを沈黙させることができ、一方で、送信器３１６から他のサブバンド上で通信を許可する。さらに、モバイル装置３０４は、効果的に沈黙させられるインターバルを保証するために、他のモバイル装置、他のアクセス端末、基地局、他のアクセスポイント等と同期されることができる。これにより、ネットワーク内に、又は到達可能な伝送エリア内に信号を伝送する他の装置が事実上ないとして、熱雑音測定器３１０が熱雑音を効率的に測定することが可能となる。熱雑音測定を使用して、電力調節器３１２は、ＩｏＴパラメータを修正及び／又は変更することができ、このパラメータは、基地局３０２に最大の効率及び出力を保証するために熱雑音に対する干渉レベルを特定することができる。記述されたように、ある量の干渉は、強い装置間通信を可能とするために望まれるが、あまりにも多くの干渉は、ネットワーク中にアンビギュイティ（ambiguity）を引き起こすことがある。サイレンスインターバル熱雑音測定に基づいてＩｏＴレベルを動的に調節することは、適切なバランスを達成することができる。
【００３６】
次に、図４を参照すると、ブロードキャスト通信メッセージ帯域幅例４００が示されている。帯域幅は、例えば、スーパーフレームに含まれることができ、スーパーフレームは、プリアンブル（図示せず）をさらに有することができる。一例では、帯域幅は、複数のシンボル期間のサブキャリアの集合に相当することができる。この例では、スロット４０４は、図示された第１のシンボル期間の単一のサブキャリアを指すことができ、沈黙させられた帯域幅４０６は、シンボル期間中沈黙させられる第２のシンボル期間の１以上の連続サブキャリア（又は、図示されるように実質的に全て）を指すことができる。サイレンスインターバルが１つのシンボル期間の一部のサブキャリアに対して規定されることができ、且つ１以上のシンボル期間に跨ることができることは、認識されるべきである。サイレンスインターバルは、図示されたスーパーフレーム（又は部分的なスーパーフレーム）のインターバル期間中に、４０６（この図の第２のシンボル期間）のオフセットに、及び単一のシンボル期間（同様に複数のシンボル期間であってもよい）の継続期間中に定められる。帯域幅４００のユーザは、上述された目的（例えば、熱雑音測定、公共安全通信等）のために、サイレンスインターバル中に通信を停止することができる。さらに、より多くのシンボル期間及びサブキャリアがスーパーフレームに規定されることができ、ここに示されたものは、説明を容易にするためのサブセットでありうる。
【００３７】
他の例では、帯域幅４００は、サブバンド上に複数のタイルを有するＰＨＹフレームを指すことができる。この例では、サイレンスインターバル４０６は、サブバンド中のタイルによって規定されることができる。他の例では、図示されないが、サイレンスインターバルは、タイルの一部分（例えば、トーンのサブセット）、１以上のタイル又はその一部分、特定のサブバンド及び同種のものに関連することができる。図示されるように、サブバンドは、８つのタイルを含むことができ、各タイルが１６のトーンを含むが、他の例では、より多数又はより少数であってもよい。一例では、サイレンスインターバルに関するグラニュラリティ（granularity）は、全サブバンドであることができる。この点に関して、図示されないが、サブバンドが帯域幅の複数のサブバンドのうちの１つである場合、サイレンスインターバルは、全体のサブバンド４０２として規定されることができる。さらに、一例では、サイレンスインターバルは、サイレンスインターバルを含むＯＦＤＭシンボル中にガードキャリア（例えば、ゼロアウトされた（zeroed-out）キャリア）の数を増加させることによって達成されることができ、その結果、予め使用可能な数のＯＦＤＭシンボル部分は、そしてガードキャリア部分に分類されて自動的にパンクチャされる（punctured）（即ち、ゼロアウトされる）。
【００３８】
記述されるように、ネットワーク内で通信する装置又はアクセス端子は、基地局又はアクセスポイントからサイレンスインターバル情報を受信することができ、或いは、一例では、この情報でプリコードされることができる。サイレンスインターバル中に、基地局が熱雑音を測定するのを可能にするように、また、範囲外又は略範囲外の装置、公共安全装置及びピアツーピア通信等のような他の装置が通信するのを可能にするように、装置が通信を停止することができる。一例では、ＰＨＹフレームにおいて、波形は、サイレンスインターバルを達成するために、関連するサブバンドをブランクにする（blanking）ことにより修正される。これは、インターバルの一部分に関して、サブバンド又はサブキャリアに割り当てられるＣＤＭＡ制御データ又は他のデータに関係なく発生することができる。他の例では、サブバンドは、逆方向肯定応答チャネル（Ｒ−ＡＣＫＣＨ）データが送信されることになる部分を削除され、これは、例えば、いくつかの順方向データチャネル（Ｆ−ＤＣＨ）パケットに関して余分な伝送を停止することができる。さらに、逆方向データチャネル（Ｒ−ＤＣＨ）データは、同様にサイレンスインターバル中に規定されることができるが、サイレンスインターバルによってブランクアウト（blanked out）される可能性があり、しかしながら、Ｒ−ＤＣＨデータは、この前後に計画されることができる。同期構成に限定されないが、サイレンスインターバルを避けて計画する１つの方法は、サイレンスインターバルにオーバーラップしないようにパケットがスケジューリングされることを保証するようにスケジューラを利用することでありうる。サイレンスインターバル機能性は、記述されたように、規定されたサイレンスインターバル中に装置が通信を同時に停止するような有効な沈黙（silencing）を保証する同期環境及び非同期環境で実施されることができる。さらに、記述されるように、サイレンスインターバルは、システムパフォーマンスへの最小の影響を有することができるように、小さな負荷サイクルを有することができる。
【００３９】
図５及び図６を参照すると、ＭＩＭＯシステムにおけるサイレンスインターバルの規定及び利用に関連する手順が示されている。説明の簡単化のために、手順が、一連の動作として示されて記述されるが、ある動作が１以上の実施形態に従って、本明細書に示されて記述されるのとは異なる順番で、又は他の動作と同時に起こってもよいように、手順がこの動作順に限定されないことは、理解されるべきである。例えば、当業者は、状態図等において、手順が一連の相互関係がある状態又はイベントとして選択的に示されることができることを理解して認識するだろう。さらに、図示された全ての動作が１以上の実施形態に従って手順を実施するために要求されることがあるとは限らない。
【００４０】
次に、図５を参照すると、サイレンスインターバル中に熱雑音を測定することを容易にする手順５００が示されている。５０２において、サイレンスインターバルは、上に示された例に従って規定されることができる。例えば、サイレンスインターバルは、１以上のスーパーフレーム、スーパーフレーム中のオフセット、及びサイレンスの継続期間のように、期間を規定することができる。これは、ネットワーク計画、リアルタイム構成、送信装置の数及び／又は電力、他の装置又はネットワーク構成要素からの情報、及び／又はその同種のものを含む複数の要素に基づいて決定されることができる。５０４において、サイレンスインターバル情報は、１以上のモバイル装置に伝送されることができる。これは、ビーコンメッセージ、及び／又はその同種のもののように、通信を確立するとすぐに伝送されることができ、モバイル装置は、受信された情報に従ってサイレンスインターバル中に通信を停止することができる。
【００４１】
５０６において、熱雑音レベルは、サイレンスインターバル中に測定されることができる。例えば、モバイル装置が通信を停止している時に、アップリンクは、他の装置からの干渉なしに熱雑音に関して測定されることができる。この測定を使用して、５０８において、ＩｏＴレベルは、調節されることができる。記述されるように、無線ネットワーク内の通信は、あるレベルの干渉が装置からの効率的な通信に望まれるように、或いは要請されるように、熱雑音に対する干渉として測定されることができるが、あまりにも多くの干渉は、通信をそれほど有効でなく、それほど効率的でないようにすることがありうる。従って、ＩｏＴレベルは、熱雑音に対する干渉の最適レベルを示すことができ、最適又は好ましい通信パフォーマンスを保証するために、周期的基準における測定に従って調節されることができる。
【００４２】
図６を参照すると、サイレンスインターバル情報を受信及び利用することを容易にする手順が示されている。６０２において、サイレンスインターバル情報が受信される。記述されるように、これは、例えば、プリコード化情報としてメモリから受信されてもよく、或いは、基地局等の他の装置又は他のアクセスポイントから受信されてもよい。６０４において、サイレンスインターバルは、インターバル期間、オフセット及び継続期間として決定される。インターバル期間は、例えば、１以上のスーパーフレーム及び／又は一連のスーパーフレーム（例えば、ｎ個のスーパーフレーム毎における）として規定されることができる。オフセットは、サイレンスインターバルが開始することになるスーパーフレームまでの１以上のタイル又はシンボル期間であることができ、継続期間は、スーパーフレーム中の１以上のシンボル期間又はタイルであることができる。
【００４３】
６０６において、装置の送信器は、指定された期間、オフセット、及びその継続期間中に沈黙させられる。例えば、送信器に対して指定された通信（例えば、Ｒ−ＡＣＫＣＨ、Ｒ−ＤＣＨ、又は他のＣＤＭＡ制御／データ）を無視して、適切なサブバンド及び／又はサブキャリアは、サイレンスを達成するためにブランクにされる。このサイレンス中に、基地局は、熱レベルを測定することができ、さらに、例えば公共安全又はピアツーピア構成にあるような、他のネットワーク又は装置は、通信することができる。６０８において、通信は、サイレンスインターバルに続いて再開されることができる。一例では、通信がサイレンスインターバル中に中止される、又はブランクアウトされる場合、例えば、Ｒ−ＡＣＫＣＨのように、通信は、再送信されることができ、或いは、装置は、追加Ｆ−ＤＣＨデータを待つことができる。
【００４４】
本明細書に記述された１以上の態様に従って、サイレンスインターバルの規定に関して推定がなされることができることは、認識されるだろうが、例えば、他のアクセスポイント又は装置のサイレンスメトリック、或いは、それに関連する他の情報、例えば、装置の数、若しくは平均又は総伝送電力等は、１以上のサイレンスインターバルメトリックを推定するために捕捉されて評価される。本明細書に使用されるように、用語「推定する（infer）」又は「推定（inference）」は、一般に、イベント及び／又はデータを介して得られるような一連の観測から、システム、環境及び／又はユーザの状態を判断する、又は推定するプロセスを指すことができる。推定は、具体的なコンテキスト又はアクションを特定するために使用されることができ、或いは、例えば、状態に関する確率分布を生成することができる。推定は、確率的でありうる、即ち、データ及びイベントの考慮に基づいた対象の状態に関する確率分布の計算でありうる。推定は、一連のイベント及び／又はデータから高レベルのイベントを構成するために使用される技術を同様に指すこともできる。このような推定は、一連の観測されたイベント及び／又は格納されたイベントデータから新たなイベント又はアクションの構成、イベントが時間的に極めて近接して（in close temporal proximity）相関されるか否か、イベント及びデータが１又は複数のイベント及びデータソースに由来するか否かを結果としてもたらす。
【００４５】
一例に従って、上記に示された１以上の方法は、サイレンスインターバルの規定に関連する推定を行うことを含むことができる。さらなる例示として、推論は、エリア内で伝送する複数の装置に部分的に基づいて行われることができ、このメトリックは、所定のエリア及び／又は時刻に関して変化することができる。例えば、早朝の時間帯は、夕方近くの時間帯より本質的に少ないデータトラフィックを示すことができる。従って、午後の時間帯のサイレンスインターバルは、ＩｏＴレベルが規定の状態に最適に調整されることを保証するために、より短い継続期間中により頻繁に起こるように推定されることができるが、システムは、短い期間の間に中断される。上述の例が事実上、例示的なものであり、行われることができる推定の数、或いは本明細書に記述される種々の実施形態及び／又は方法と関連してそのような推定が行われる方法を限定するように意図されるものではないことは、認識されるべきである。
【００４６】
図７は、例えば、ＭＩＭＯシステム内でサイレンスインターバル情報を受信して利用することを容易にするモバイル装置７００の説明図である。モバイル装置７００は、例えば、受信アンテナ（図示せず）から信号を受信し、且つサンプルを得るために受信信号に対して一般の動作（例えば、フィルリング、増幅、ダウンコンバート等）を実行し、調整された信号をデジタル化する受信器７０２を備えている。受信器７０２は、例えば、ＭＭＳＥ受信器であることができ、前述されたようなサイレンスインターバルデータに関する情報を受信することができる。さらに、モバイル装置７００は、例えば、サイレンスインターバル情報等の受信情報を復調してそれらをプロセッサ７１０に提供することができる復調器７０４、同期通信を容易にするためのタイマ７０６、及び／又は指示されたインターバル中に通信を沈黙させる通信サイレンサ７０８を備えることができる。プロセッサ７１０は、受信器７０２によって受信される信号を分析し、及び／又は送信器７１６による伝送用の情報を生成するために設けられるプロセッサ、モバイル装置７００の１以上の構成要素を制御するプロセッサ、及び／又は受信器７０２によって受信される情報を分析して送信器７１６による伝送用の情報を生成するのみならず、モバイル装置７００の１以上の構成要素を制御するプロセッサであることができる。
【００４７】
モバイル装置７００は、メモリ７１２をさらに備え、このメモリ７１２は、プロセッサ７１０に動作的に結合され、送信データ、受信データ、利用可能なチャネルに関連する情報、分析された信号及び／又は干渉強度に関連するデータ、割り当てられたチャネル、電力又はレート等に関連する情報、チャネルの推定及びチャネルを介する通信に関する他の適切な情報を格納することができる。メモリ７１２は、チャネル（例えば、パフォーマンスベース、キャパシティベース等）の推定及び／又は利用に関連するプロトコル及び／又はアルゴリズムをさらに格納することができる。さらに、メモリ７１２は、所望されるサイレンスを達成するためのインターバル期間、オフセット、及び／又継続期間のように、記述されるようなサイレンスインターバルに関する情報を格納することができる。
【００４８】
本明細書に記述されるデータストア（例えば、メモリ７１２）が揮発性メモリ又は不揮発性メモリのいずれかであることができ、或いは揮発性及び不揮発性メモリの両方を含むことができるのは、充分に理解されるだろう。限定ではなく例として、不揮発性メモリは、リード・オンリー・メモリ（ＲＯＭ）、プログラマブルＲＯＭ（ＰＲＯＭ）、電気的プログラム可能ＲＯＭ（ＥＰＲＯＭ）、電気的消去可能ＰＲＯＭ（ＥＥＰＲＯＭ）、又はフラッシュメモリを含むことができる。揮発性メモリは、ランダム・アクセス・メモリ（ＲＡＭ）を含むことができ、これは、外部キャッシュメモリとして機能する。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）ダブル・データ・レートＳＤＲＡＭ（ＤＤＲＳＤＲＡＭ）、エンハンスドＳＤＲＡＭ（ＥＳＤＲＡＭ）、シンクリンクＤＲＡＭ（ＳＬＤＲＡＭ）、及びダイレクト・ランバスＲＡＭ（ＤＲＲＡＭ）等の種々の形態で利用可能である。主題のシステム及び方法のメモリ７１２は、限定されることなしに、これらのタイプのメモリ及び他の好適なタイプのメモリを含むように意図される。
【００４９】
一例に従って、受信器７０２は、記述されるようなインターバル期間、オフセット及び継続期間を含むサイレンスインターバル情報を受信することができる。情報は、復調器７０４によって復調されることができ、通信サイレンサ７０８に（例えば、直接に、又はプロセッサ７１０を介して）送信されることができる。通信サイレンサ７０８は、モバイル装置７００のためのサイレンスインターバルを規定するために、この情報を使用することができる。この点に関して、通信サイレンサ７０８は、タイマ７０６を利用して、インターバル期間スーパーフレーム及びスーパーフレーム中の決定されたオフセットの発生を検出することができる。オフセットに達するとすぐに、通信サイレンサ７０８は、タイマ７０６に従ってサイレンスインターバルの継続期間に送信器７１６からの通信を（例えば、直接又はプロセッサ７１０を介して）ブロックする（block）ことができる。従って、通信は、規定された期間中、沈黙させられることができる。
【００５０】
他の例に従って、モバイル装置７００は、サイレンスインターバル中にピアツーピア通信を開始することができる。例えば、モバイル装置７００は、上述されるようなサイレンスインターバル情報を得て、送信器７１６を介してピアツーピア通信を伝送するために、タイマ７０６によって指定されるサイレンスインターバル継続期間を使用することができる。他の例では、例えば、装置が範囲外である場合、及び／又は装置が緊急通信モードである場合、モバイル装置７００は、高電力の信号を伝送するためにサイレンスインターバルを利用することができる。タイマ７０６、通信サイレンサ７０８、及び／又は変調器７１４がプロセッサ７１０と分離しているとして示されているが、プロセッサ７１０の一部又は複数のプロセッサ（図示せず）であってもよいことは、理解されるべきである。
【００５１】
図８は、例えば、ＭＩＭＯ環境で、サイレンスインターバルを規定すること、及びサイレンス中に熱雑音レベルを測定することを容易にするシステム８００の説明図である。システム８００は、複数の受信アンテナ８０６を介して１以上のモバイル装置８０４から（１又は複数の）信号を受信する受信器８１０、及び送信アンテナ８０８を介して１以上のモバイル装置８０４に伝送する送信器８２６を有する基地局８０２（例えば、アクセスポイント等）を備えることができる。受信器８１０は、受信アンテナ８０６から情報を受信することができ、受信された情報を復調する復調器８１２と動作的に結合されている。復調されたシンボルは、図７に関連して上述されたプロセッサと同類でありうるプロセッサ８１４により分析され、このプロセッサ８１４は、信号（例えば、パイロット）強度及び／又は干渉強度の推定に関連する情報、（１以上の）モバイル装置８０４（又は本質的に異なる基地局（図示せず））に送信されるデータ、又は（１以上の）モバイル装置８０４から受信されるデータ、及び／又は本明細書に説明される種々の動作及び機能を実行することに関連する他の適切な情報を格納するメモリ８１６に結合される。プロセッサ８１４は、例えば、サイレンスインターバルを決定することができ、且つ送信器８２６及びＴｘアンテナ８０８を利用してモバイル装置８０４にサイレンスインターバルに関する情報を送信することができるサイレンスインターバルデファイナ８１８に結合される。これは、ビーコンメッセージ又は他の通信の一部として送信されることができる。
【００５２】
一例に従って、サイレンスインターバルデファイナ８１８は、上述されたような種々の要素に基づいて通信中にサイレンスインターバルを作ることができる。サイレンスインターバルは、スーパーフレーム又はその期間のように、インターバル期間に関して規定されることができる。さらに、サイレンスインターバルは、スーパーフレーム中の関連オフセット及び継続期間を有することができる。一例では、サイレンスインターバルは、サイレンスインターバル中にブランクアウトする複数のサブバンドを規定することもできる。サイレンスインターバルは、装置を沈黙させることに関して、サイレンスを同時に起こさせるように、同期システム又はネットワークに従って規定されることができる。サイレンスインターバルがその使用法に基づいて規定されることができるのは、認識されるべきであり、例えば、サイレンスインターバルが熱雑音測定に使用される場合、熱雑音レベルがいくらか静的でありうると、サイレンスインターバルが頻繁に発生する必要がない。しかしながら、さらに、サイレンスインターバルが他の装置、例えば、公共安全又はピアツーピア通信等に使用される場合、大きなインターバル（又は、より頻繁なインターバル）が望まれることがありうる。この情報は、記述されるように、静的又は動的要素に従って推定又は設定されることができる。
【００５３】
一例に従って、サイレンスインターバル情報は、モバイル装置８０４に送信されることができ、及び／又は装置内でプリコードされることができ、その結果、期間中の規定されたインターバルは、オフセットによって規定され、継続期間中、沈黙させられることができる（例えば、モバイル装置８０４は、通信を停止する）。インターバル中において、例えば、熱雑音検出器８２０は、基地局８０２のアップリンクの熱雑音を測定することができる。一例に従って、インターフェアレンストゥサーマル（interference to thermal）調節器８２２は、熱雑音の測定に基づいて電力レベル又はＩｏＴレベルを調節することができる。この点に関して、基地局８０２は、熱雑音を測定するためにサイレンスインターバルを利用することにより、熱に対する干渉レベルの最適なレベルを実現することができ、それによって、効率的な通信が容易になる。
【００５４】
図９は、一例の無線通信システム９００を示している。無線通信システム９００は、簡単化するために、１つの基地局９１０及び１つのモバイル装置９５０を示している。しかしながら、システム９００が１を越える基地局及び／又は１を越えるモバイル装置を含むことができ、追加基地局及び／又はモバイル装置が以下に記述される例示の基地局９１０及びモバイル装置９５０と実質的に同じでもよく、又は異なってもよいことは、認識されるべきである。さらに、基地局９１０及び／又はモバイル装置９５０がこれらの間での無線通信を容易にするために本明細書に記述されるシステム（図１から図３、図７及び図８）、技術／構成（図４）、及び／又は方法（図５及び図６）を使用することができることは、認識されるべきである。
【００５５】
基地局９１０では、多くのデータストリームのトラフィックデータは、データソース９１２から送信（ＴＸ）データプロセッサ９１４に供給される。一例に従って、各データストリームは、夫々のアンテナを介して伝送されることができる。ＴＸデータプロセッサ９１４は、符号化データを提供するためにそのデータストリームに関して選定された特定の符号化方式に基づいてトラフィックデータストリームをフォーマットし、符号化してインターリーブする。
【００５６】
データストリーム毎の符号化データは、直交周波数分割多重化（ＯＦＤＭ）技術を使用して、パイロットデータで多重化されることができる。さらに又はこの代わりに、パイロットシンボルは、周波数分割多重化（ＦＤＭ）、時分割多重化（ＴＤＭ）、符号分割多重化（ＣＤＭ）であることができる。パイロットデータは、一般に、公知の方法で処理される既知のデータパターンであり、チャネル応答を推定するためにモバイル装置９５０で使用されることができる。データストリーム毎の多重化パイロット及び符号化データは、変調シンボルを提供するためにそのデータストリームに関して選定される特定の変調方式（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ）等）に基づいて変調されることができる。データストリーム毎のデータレート、符号化及び変調は、プロセッサ９３０によって実行される又は与えられる命令によって決定されることができる。
【００５７】
データストリームに関する変調シンボルは、ＴＸ・ＭＩＭＯプロセッサ９２０へ与えられることができ、ＴＸ・ＭＩＭＯプロセッサ９２０は、変調シンボル（例えば、ＯＦＤＭに関する）をさらに処理することができる。ＴＸ・ＭＩＭＯプロセッサ９２０は、続いて、ＮＴ個の送信器（ＴＭＴＲ）９２２ａ〜９２２ｔにＮＴ個の変調シンボルストリームを提供する。種々の実施形態では、ＴＸＭＩＭＯプロセッサ９２０は、データストリームのシンボル、及びシンボルが送信されているアンテナにビームフォーミング重みを適用する。
【００５８】
各送信器９２２は、１以上のアナログ信号を提供するために夫々のシンボルストリームを受信して処理し、ＭＩＭＯチャネル上の伝送に適した変調信号を提供するためにアナログ信号をさらに調整（例えば、増幅、フィルタリング及びアップコンバート）する。さらに、送信器９２２ａ〜９２２ｔからのＮＴ個の変調信号は、ＮＴ個のアンテナ９２４ａ〜９２４ｔから夫々送信される。
【００５９】
モバイル装置９５０において、送信された変調信号は、ＮＲ個アンテナの９５２ａ〜９５２ｒによって受信され、各アンテナ９５２からの受信信号は、夫々の受信器（ＲＣＶＲ）９５４ａ〜９５４ｒに提供される。各受信器９５４は、夫々の信号を調整（例えば、フィルタリング、増幅及びダウンコンバート）し、サンプルを提供するために調整信号をデジタル化し、そして対応する「受信」シンボルストリームを提供するためにサンプルをさらに処理する。
【００６０】
ＲＸデータプロセッサ９６０は、ＮＴ個の「検出された」シンボルストリームを提供するために特定の受信器処理技術に基づいて、ＮＲ個の受信器９５４からのＮＲ個の受信シンボルストリームを受信して処理することができる。ＲＸデータプロセッサ９６０は、データストリームのトラフィックデータを回復するために、各検出されたデータストリームを復調し、デインタリーブし、復号することができる。ＲＸデータプロセッサ９６０による処理は、基地局９１０でのＴＸ・ＭＩＭＯプロセッサ９２０及びＴＸデータプロセッサ９１４によって実行された処理に相補的である。
【００６１】
プロセッサ９７０は、上述されるように、どのプリコーディングマトリックスを利用するかを周期的に決定することができる。さらに、プロセッサ９７０は、マトリックスインデックス部及びランク値部を含む逆方向リンクメッセージを定式化することができる。
【００６２】
逆方向リンクメッセージは、通信リンク及び／又は受信データストリームに関する種々のタイプの情報を含むことができる。逆方向リンクメッセージは、データソース９３６から多くのデータストリームに関するトラフィックデータをさらに受信するＴＸデータプロセッサ９３８によって処理され、変調器９８０によって変調され、送信器９５４ａ〜９５４ｒによって調整され、そして基地局９１０に送り返されることができる。
【００６３】
基地局９１０において、モバイル装置９５０からの変調信号は、アンテナ９２４によって受信され、受信器９２２によって調整され、復調器９４０によって復調され、ＲＸデータプロセッサ９４２によって処理されて、モバイル装置９５０によって伝送された逆方向リンクメッセージが復元される。さらに、プロセッサ９３０は、どのプリコーディングマトリックスがビームフォーミング重みの決定に使用されるかを決定するために復元されたメッセージを処理することができる。
【００６４】
プロセッサ９３０及び９７０は、夫々基地局９１０及びモバイル装置９５０において動作を指示する（例えば、制御する、調整する、管理する等）ことができる。プロセッサ９３０及び９７０は、夫々プログラムコード及びデータを格納するメモリ９３２及び９７２に結合されることができる。プロセッサ９３０及び９７０は、夫々アップリンク及びダウンリンクに関して周波数及びインパルス応答推定を導出するために計算を実行することができる。
【００６５】
本明細書に記述された実施形態がハードウェア、ソフトウェア、ファームウェア、ミドルウェア、マイクロコード、又はその任意の組み合せにより実施されることができるのは、理解されるべきである。ハードウェアでの実施においては、プロセッシングユニットは、１以上の特定用途向け集積回路（ＡＳＩＣ）デジタル・シグナル・プロセッサ（ＤＳＰ）、デジタル・シグナル・プロセッシング・デバイス（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、本明細書に記述される機能を実行するように設計される他の電子ユニット、又はその組み合わせで実施されることができる。
【００６６】
実施形態がソフトウェア、ファームウェア、ミドルウェア又はマイクロコード、プログラムコード又はコードセグメントにより実施される場合、それらは、ストレージ構成要素のように、機械読取可能媒体に格納されることができる。コードセグメントは、プロシージャ、ファンクション、サブプログラム、プログラム、ルーチン、サブルーチン、モジュール、ソフトウェアパッケージ、クラス、或いは、命令、データ構造又はプログラム命令文の任意の組み合わせに相当することができる。コードセグメントは、情報、データ、引数、パラメータ又は記憶内容を渡す及び／又は受信することによって、他のコードセグメント又はハードウェア回路に結合されることができる。情報、引数、パラメータ及びデータ等は、メモリの共有、メッセージパッシング、トークンパッシング、ネットワーク伝送等を含む任意の適切な手段を使用して渡されることができ、転送されることができ、又は伝送されることができる。
【００６７】
ソフトウェアでの実施においては、本明細書に記述された技術は、明細書に記述された機能を実行するモジュール（例えば、プロシージャ、ファンクション等）で実施されることができる。ソフトウェアコードは、メモリユニットに格納されてプロセッサによって実行されることができる。メモリユニットは、プロセッサ内に、又はプロセッサ外部に実装されることができ、この場合、メモリユニットは、公知である種々の手段を介してプロセッサに通信的に結合されることができる。
【００６８】
図１０を参照すると、熱雑音を測定するためにサイレンスインターバルを決定して利用するシステム１０００が示されている。例えば、システム１０００は、基地局内に少なくとも部分的に備わっていることができる。システム１０００が機能ブロックとして示されることは、認識されるべきであり、それらは、プロセッサ、ソフトウェア、又はその組み合せ（例えば、ファームウェア）によって実施される機能を示す機能ブロックであることができる。システム１０００は、連動して作動することができる電気的構成要素（electrical component）の論理グループ１００２を含む。例えば、論理グループ１００２は、１以上のＯＦＤＭシンボル期間の１以上の部分に基づいてサイレンスインターバルを作るための電気的構成要素１００４を含むことができる。例えば、サイレンスインターバルは、ＯＦＤＭスーパーフレーム中で、所定期間又は所定数のシンボル期間に関して規定されることができる。サイレンスインターバルメトリクスは、推定技術、ネットワーク計画、モバイル装置又は他の基地局に関して受信される情報、ネットワーク情報、及び／又はその同種のものを含む前の図を参照して説明されるような種々の静的又は動的な変数に基づいて決定されることができる。さらに、論理グループ１００２は、モバイル装置がサイレンスインターバル中に通信を停止することができるように、１以上のモバイル装置にサイレンスインターバルに関する情報を送信するための電気的構成要素１００６を含むことができる。例えば、モバイル装置は、情報を捕捉すると、インターバル中の通信が停止することを保証するサイレンスインターバルを実施することができる。サイレンスがサイレンスインターバル情報を受信する実質的に全ての装置によって実質的に同期間に生じることができるように、無線通信ネットワークがこの点に関して同期であることができることは、認識されるべきである。さらに、システム１０００は、電気的構成要素１００４及び１００６に関連する機能を実行するための命令を保持するメモリ１００８を備えることができる。電気的構成要素１００４及び１００６がメモリ１００８外部にあるとして示されたが、電気的構成要素１００４及び１００６の１つ以上がメモリ１００８内に備わっていてもよいことは、理解されるべきである。
【００６９】
図１１を参照すると、通信を終了するためにサイレンスインターバルを受信して実施することを容易にするシステム１１００が表示される。システム１１００は、例えば、モバイル装置内に少なくとも部分的に備わっていることができる。図示されるように、システム１１００は、プロセッサ、ソフトウェア又はその組み合せ（例えば、ファームウェア）により実施される機能を示すことができる機能ブロックを含む。システム１１００は、逆方向リンク伝送の制御を容易にする電気的構成要素の論理グループ１１０２を含む。論理グループ１１０２は、サイレンスインターバル規定を受信するための電気的構成要素１１０４を含むことができる。例えば、サイレンスインターバル規定は、インターバル期間、サイレンスを開始するための期間中のオフセット、及び継続期間を含むことができる。このインターバルの実施は、基地局が熱雑音を測定するのを可能にすることができ、公共安全装置通信を可能にすることができ、ピアツーピア装置通信に提供することができ、及び／又はその同種のことをすることができる。さらに、論理グループ１１０２は、ＯＦＤＭインターバル期間及び期間中のオフセットに基づいて、サイレンスインターバルの開始を検出するための電気的構成要素１１０６を含むことができる。この点に関して、無線通信ネットワーク内の通信は、指定されたインターバル期間（一例では、スーパーフレームであってもよい）内の指定されたオフセットで開始する略全ての関与する装置における効率的な沈黙を容易にするように同期されることができる。さらに、論理グループ１１０２は、サイレンスインターバルの開始時から指定された継続期間の間、通信を停止するための電気的構成要素１１０８を含むことができる。このように、関与する装置からの干渉は、基地局が熱雑音を測定すること、装置がピアツーピア通信すること、公共安全装置が通信すること、及び／又はその同種のことを可能にするサイレンインターバルの継続期間に無にされる（nullified）ことができる。さらに、システム１１００は、電気的構成要素１１０４、１１０６及び１１０８に関連する機能を実行するための命令を保持するメモリ１１１０を含むことができる。電気的構成要素１１０４、１１０６及び１１０８がメモリ１１１０外部にあるとして示されているが、電気的構成要素１１０４、１１０６及び１１０８がメモリ１１１０内に備わっていてもよいことは、理解されるべきである。
【００７０】
上述されたものは、１以上の実施形態の例を含む。前述の実施形態を記述する目的で構成要素及び手順における全ての考えうる組み合わせを記述することは、当然ながら不可能であるが、当業者は、種々の実施形態の複数のさらなる組み合わせ又は置換が可能であることは、認識するだろう。従って、記述された実施形態は、添付の特許請求の範囲の精神及び範囲に含まれる全てのそのような変更、修正及び変形を包含するように意図される。用語「含む（include）」が詳細な説明又は特許請求の範囲に使用される範囲において、この用語は、用語「具備する（comprising）」が特許請求の範囲で慣習的な単語として使用される際に解釈されるように、用語「具備する（comprising）」と同様の方法で包含的であるように意図される。
【図１】
2014014100.tif 000003
【図２】
2014014100.tif 000004
【図３】
2014014100.tif 000005
【図４】
2014014100.tif 000006
【図５】
2014014100.tif 000007
【図６】
2014014100.tif 000008
【図７】
2014014100.tif 000009
【図８】
2014014100.tif 000010
【図９】
2014014100.tif 000011
【図１０】
2014014100.tif 000012
【図１１】
2014014100.tif 000013
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
無線通信ネットワークにおける方法であって、
ＯＦＤＭシンボルを有する１以上のサブキャリアでの伝送を１以上の送信装置が停止することができる１以上のＯＦＤＭシンボル期間を含むかつ前記無線通信ネットワークの１以上の可変パラメータに基づくサイレンスインターバルを基地局が決定することと、ここで、前記サイレンスインターバルは該サイレンスインターバルより前に前記基地局から送信される情報に基づいていて、前記基地局は１以上のモバイル装置のためのアクセスポイントである、
前記モバイル装置が前記サイレンスインターバル中に通信を停止することができるように、１以上の前記モバイル装置に前記サイレンスインターバルに関する情報を前記基地局が伝送することと、
を具備する方法。
【請求項２】
前記サイレンスインターバル中にアップリンク熱雑音を前記基地局が測定することをさらに具備する、請求項１の方法。
【請求項３】
前記１以上のモバイル装置に対して、インターバル期間、前記期間中のオフセット、及び／又は前記サイレンスインターバルの継続期間のうちの１つ以上を前記基地局が伝送することをさらに具備する請求項１の方法。
【請求項４】
前記インターバル期間、前記期間中のオフセット、及び／又は前記継続時間は、ブロードキャストメッセージの一部として前記基地局から伝送される、請求項３の方法。
【請求項５】
前記サイレンスインターバルの一部としてブランクアウトするためのサブバンドのサブセットを前記基地局が選定することをさらに具備する請求項１の方法。
【請求項６】
前記サイレンスインターバル中に公共安全又は長距離通信を前記基地局が受信することをさらに具備する請求項１の方法。
【請求項７】
ピアツーピア装置通信は、前記サイレンスインターバル中に容易にされる、請求項１の方法。
【請求項８】
前記サイレンスインターバルは、前記１以上のＯＦＤＭシンボル期間のガードキャリアの数を増加させることによって規定される、請求項１の方法。
【請求項９】
サイレンスインターバル中に１以上の送信装置が伝送を停止するように、伝送帯域幅の１以上のＯＦＤＭシンボル期間の一部として、通信ネットワークの１以上の可変パラメータに基づく前記サイレンスインターバルを規定するように構成され、前記サイレンスインターバルは該サイレンスインターバルより前に基地局から送信される情報に基づいていて、前記基地局は１以上のモバイル装置のためのアクセスポイントである、少なくとも１つのプロセッサと、
前記少なくとも１つのプロセッサに結合されるメモリと、
を具備する無線通信装置。
【請求項１０】
前記サイレンスインターバルは、スーパーフレームインターバル期間、前記スーパーフレーム中のオフセット、及び／又は継続時間のうちの１以上によって規定される、請求項９の無線通信装置。
【請求項１１】
前記サイレンスインターバルは、伝送を停止するサブバンドの一部によってさらに規定される、請求項１０の無線通信装置。
【請求項１２】
前記少なくとも１つのプロセッサは、ビーコン信号を送信するようにさらに構成され、ここにおいて、前記サイレンスインターバル規定は前記ビーコン信号の一部として伝送される、請求項１１の無線通信装置。
【請求項１３】
前記少なくとも１つのプロセッサは、前記１以上のモバイル装置からの最適量の干渉で動作することを容易にするように、インターフェアレンス・オーバー・サーマル（ＩｏＴ）メトリックを調節するようにさらに構成される、請求項９の無線通信装置。
【請求項１４】
前記少なくとも１つのプロセッサは、前記規定されたサイレンスインターバル中にアップリンクの熱雑音を測定し、前記熱雑音に基づいて前記ＩｏＴメトリックを調節するようにさらに構成される、請求項１３の無線通信装置。
【請求項１５】
前記少なくとも１つのプロセッサは、前記サイレンスインターバル中に１以上の公共安全通信を受信するようにさらに構成される、請求項９の無線通信装置。
【請求項１６】
通信ネットワークの１以上の可変パラメータ及び１以上のＯＦＤＭシンボル期間の１以上の部分に基づくサイレンスインターバルを作る手段と、
モバイル装置が送信メッセージ中の情報に基づく前記サイレンスインターバル中に通信を停止することができるように、前記サイレンスインターバルより前に、１以上の前記モバイル装置に前記送信メッセージ中で基地局から前記サイレンスインターバルに関する前記情報を送信する手段と、ここで、前記基地局は１以上の前記モバイル装置のためのアクセスポイントである、
を具備する１以上のサイレンスインターバルを規定することを容易にする無線通信装置。
【請求項１７】
前記サイレンスインターバルは、ＯＦＤＭシンボル期間の間隔、前記期間中のオフセット、及び／又は継続期間のうちの１以上によって規定される、請求項１６の無線通信装置。
【請求項１８】
前記サイレンスインターバル中にアップリンクの熱雑音レベルを測定する手段をさらに具備する、請求項１６の無線通信装置。
【請求項１９】
前記熱雑音に基づいてインターフェアレンス・オーバー・サーマル（ＩｏＴ）レベルを調節する手段をさらに具備する、請求項１８の無線通信装置。
【請求項２０】
前記サイレンスインターバル中に高電力の公共安全通信又は範囲外の通信を受信する手段をさらに具備する、請求項１６の無線通信装置。
【請求項２１】
前記サイレンスインターバルに関連する前記情報は、ビーコン信号の一部として１以上のモバイル装置に伝送される、請求項１６の無線通信装置。
【請求項２２】
ピアツーピア通信は、前記サイレンスインターバル中に容易にされる、請求項１６の無線通信装置。
【請求項２３】
少なくとも１つのコンピュータに、１以上の送信装置が通信を停止することができる１以上のＯＦＤＭシンボル期間を含むかつ通信ネットワークの１以上の可変パラメータに基づくサイレンスインターバルを決定させるためのコードと、ここで、前記サイレンスインターバルは該サイレンスインターバルより前に基地局から送信される情報に基づいていて、前記基地局は１以上のモバイル装置のためのアクセスポイントである、
前記少なくとも１つのコンピュータに、モバイル装置が前記サイレンスインターバル中に通信を停止することができるように、１以上の前記モバイル装置に前記サイレンスインターバルに関する情報を送信させるためのコードと、
を備えるコンピュータ読取可能媒体。
【請求項２４】
前記サイレンスインターバルは、前記１以上のＯＦＤＭシンボル期間、前記１以上のＯＦＤＭシンボル期間中のオフセット、及び／又は継続期間のうちの１以上によって規定され、前記少なくとも１つのコンピュータに送信器の熱雑音レベルを測定させるためのコードをさらに備える、請求項２３のコンピュータ読取可能媒体。
【請求項２５】
無線通信システム内で、
通信ネットワークの１以上の可変パラメータ及び１以上のＯＦＤＭシンボル期間の１以上の部分に基づくサイレンスインターバルを作り、
モバイル装置が送信メッセージ中の情報に基づく前記サイレンスインターバル中に通信を停止することができるように、前記サイレンスインターバルより前に、１以上の前記モバイル装置に前記送信メッセージ中で基地局から前記サイレンスインターバルに関する前記情報を伝送する、
ように構成されるプロセッサと、ここで、前記基地局は１以上のモバイル装置のためのアクセスポイントである、
前記プロセッサに結合されるメモリと、
を具備する装置。
【請求項２６】
サイレンスインターバル中に通信を停止することを容易にする方法であって、
前記サイレンスインターバルより前に基地局から送信される情報中で１以上のＯＦＤＭシンボル期間の１以上の部分に関連するかつ通信ネットワークの１以上の可変パラメータに基づくサイレンスインターバルメトリックをモバイル装置が得ることと、ここで、前記基地局は１以上のモバイル装置のためのアクセスポイントである、
前記サイレンスインターバル中に伝送を前記モバイル装置が停止することと、
を具備する方法。
【請求項２７】
前記サイレンスインターバルは、スーパーフレームのＯＦＤＭインターバルシンボル期間の間隔、前記サイレンスインターバルを開始するためのスーパーフレーム中のオフセット、及び前記サイレンスインターバルの継続時間のうちの１以上によって規定される、請求項２６の方法。
【請求項２８】
前記伝送を停止することは、前記ＯＦＤＭインターバルシンボル期間によって規定される前記サイレンスインターバルの一部である１以上の物理（ＰＨＹ）伝送フレームの関連するサブバンドを遮ることを有し、このサブバンドは、少なくとも１つの制御又はデータチャネルを規定する、請求項２６の方法。
【請求項２９】
前記関連サブバンドは、伝送に利用可能な略全てのサブバンドを有する、請求項２８の方法。
【請求項３０】
前記伝送を停止することは、前記基地局の熱雑音測定を容易にする、請求項２６の方法。
【請求項３１】
前記サイレンスインターバル中に他のモバイル装置と前記モバイル装置がピアツーピア通信することをさらに具備する請求項２６の方法。
【請求項３２】
緊急情報を伝達するために、前記サイレンスインターバル中に他の範囲外の無線通信装置と通信するために高電力でモバイル装置が伝送することを具備する請求項２６の方法。
【請求項３３】
前記サイレンスインターバルメトリックは、前記サイレンスの発生を要求する前記基地局から前記モバイル装置によって得られる、請求項２６の方法。
【請求項３４】
前記サイレンスインターバルメトリックは、ビーコン信号によって前記基地局から前記モバイル装置によって受信される、請求項３３の方法。
【請求項３５】
通信ネットワークの１以上の可変パラメータ及びサイレンスインターバルより前に基地局から送信される情報に基づくサイレンスインターバル規定を受信するように構成され、前記サイレンスインターバル規定は、前記サイレンスインターバル中に通信を停止するための、サイレンスに関するＯＦＤＭインターバル期間を含み、前記基地局は、１以上のモバイル装置のためのアクセスポイントである、少なくとも１つのプロセッサと、
前記少なくとも１つのプロセッサに結合されるメモリと、
を具備する無線通信装置。
【請求項３６】
前記サイレンスインターバル規定は、ＯＦＤＭスーパーフレーム、前記スーパーフレーム中のオフセット、及び継続時間を有する、請求項３５の無線通信装置。
【請求項３７】
前記サイレンスインターバル規定は、前記サイレンスインターバル中に停止させられるべきサブバンドの一部をさらに有する、請求項３６の無線通信装置。
【請求項３８】
前記サイレンスインターバル規定は、前記サイレンスインターバル中に熱雑音を測定するように要求する前記基地局から受信される、請求項３５の無線通信装置。
【請求項３９】
前記少なくとも１つのプロセッサは、前記サイレンスインターバル中に他の無線通信装置とピアツーピア通信するようにさらに構成される、請求項３５の無線通信装置。
【請求項４０】
前記少なくとも１つのプロセッサは、前記サイレンスインターバル中に高電力の緊急信号を伝送するようにさらに構成される、請求項３５の無線通信装置。
【請求項４１】
前記サイレンスインターバル規定は、前記サイレンスの発生を要求する前記基地局から受信される、請求項３５の無線通信装置。
【請求項４２】
通信ネットワークの１以上の可変パラメータ及びサイレンスインターバルより前に基地局から送信される情報に基づくサイレンスインターバル規定を受信する手段と、ここで、前記基地局は１以上のモバイル装置のためのアクセスポイントである、
ＯＦＤＭインターバル期間及び前記期間中のオフセットに基づく前記サイレンスインターバルの開始を検出する手段と、
指定された継続期間に前記サイレンスインターバルの開始に通信を停止する手段と、
を具備するサイレンスインターバル中にサイレンスを達成するための無線通信装置。
【請求項４３】
前記サイレンスインターバル規定によってさらに指定されるように１以上のサブバンドを停止させる手段をさらに具備する請求項４２の無線通信装置。
【請求項４４】
前記通信を停止することは、前記基地局の熱雑音測定を容易にする、請求項４２の無線通信装置。
【請求項４５】
前記基地局は、前記無線通信装置に前記サイレンスインターバル規定を伝送する、請求項４４の無線通信装置。
【請求項４６】
前記サイレンスインターバル中にモバイル装置とピアツーピア通信することをさらに具備する請求項４２の無線通信装置。
【請求項４７】
緊急情報を伝達するために、前記サイレンスインターバル中に他の範囲外の無線通信装置と通信するために、高電力で伝送することをさらに具備する請求項４２の無線通信装置。
【請求項４８】
少なくとも１つのコンピュータに、サイレンスインターバルより前に基地局から送信される情報中で１以上のＯＦＤＭシンボル期間の１以上の部分に関連するかつ通信ネットワークの１以上の可変パラメータに基づくサイレンスインターバルメトリックを得るようにさせるためのコードと、ここで、前記基地局は１以上のモバイル装置のためのアクセスポイントである、
前記少なくとも１つのコンピュータに、前記サイレンスインターバル中に伝送を停止させるためのコードと、
を備えるコンピュータ読取可能媒体。
【請求項４９】
前記サイレンスインターバルは、スーパーフレームのＯＦＤＭインターバルシンボル期間、前記サイレンスインターバルを開始するための前記スーパーフレーム中のオフセット、及び前記サイレンスインターバルの継続期間によって規定される、請求項４８のコンピュータ読取可能媒体。
【請求項５０】
無線通信システム内で、
通信ネットワークの１以上の可変パラメータ及びサイレンスインターバルより前に基地局から送信される情報に基づくサイレンスインターバル規定を受信し、ここで、前記基地局は１以上のモバイル装置のためのアクセスポイントである、
ＯＦＤＭインターバル期間及び前記期間中のオフセットに基づくサイレンスインターバルの開始を検出し、
指定された継続期間に、前記サイレンスインターバルの開始に通信を停止する、
ように構成されるプロセッサと、
前記プロセッサに結合されるメモリと、
を具備する装置。
【手続補正２】
【補正対象書類名】明細書
【補正対象項目名】００７０
【補正方法】変更
【補正の内容】
【００７０】
上述されたものは、１以上の実施形態の例を含む。前述の実施形態を記述する目的で構成要素及び手順における全ての考えうる組み合わせを記述することは、当然ながら不可能であるが、当業者は、種々の実施形態の複数のさらなる組み合わせ又は置換が可能であることは、認識するだろう。従って、記述された実施形態は、添付の特許請求の範囲の精神及び範囲に含まれる全てのそのような変更、修正及び変形を包含するように意図される。用語「含む（include）」が詳細な説明又は特許請求の範囲に使用される範囲において、この用語は、用語「具備する（comprising）」が特許請求の範囲で慣習的な単語として使用される際に解釈されるように、用語「具備する（comprising）」と同様の方法で包含的であるように意図される。
以下に、本願出願の当初の特許請求の範囲に記載された発明を付記する。
（１）ＯＦＤＭシンボルを有する１以上のサブキャリアでの伝送を１以上の送信装置が停止することができる１以上のＯＦＤＭシンボル期間を有するサイレンスインターバルを決定することと、前記サイレンスインターバル中にタスクを実行することと、を具備する無線通信ネットワーク内でサイレンスインターバルを規定することを容易にする方法。
（２）前記実行されるタスクは、前記サイレンスインターバル中にアップリンク熱雑音を測定することである、（１）の方法。
（３）１以上のモバイル装置に対して、インターバル期間、前記期間中のオフセット、及び／又は前記サイレンスインターバルの継続期間のうちの１つ以上を伝送することをさらに具備する（１）の方法。
（４）前記インターバル期間、前記期間中のオフセット、及び／又は前記継続時間は、ブロードキャストメッセージの一部として伝送される、（３）の方法。
（５）前記サイレンスインターバルの一部としてブランクアウトするためのサブバンドのサブセットを選定することをさらに具備する方法。
（６）前記実行されるタスクは、前記サイレンスインターバル中に公共安全又は長距離通信を受信することである、（１）の方法。
（７）ピアツーピア装置通信は、前記サイレンスインターバル中に容易にされる、（１）の方法。
（８）前記サイレンスインターバルは、前記１以上のＯＦＤＭシンボル期間のガードキャリアの数を増加させることによって規定される、（１）の方法。
（９）サイレンスインターバル中に装置が伝送を停止するように、伝送帯域幅の１以上のＯＦＤＭシンボル期間の一部として前記サイレンスインターバルを規定するように構成される少なくとも１つのプロセッサと、前記少なくとも１つのプロセッサに結合されるメモリと、を具備する無線通信装置。
（１０）前記サイレンスインターバルは、スーパーフレームインターバル期間、前記スーパーフレーム中のオフセット、及び／又は継続時間のうちの１以上によって規定される、（９）の無線通信装置。
（１１）前記サイレンスインターバルは、伝送を停止するサブバンドの一部によってさらに規定される、（１０）の無線通信装置。
（１２）前記少なくとも１つのプロセッサは、ビーコン信号、前記ビーコン信号の一部として伝送される前記サイレンスインターバル規定を送信するようにさらに構成される、（１１）の無線通信装置。
（１３）前記少なくとも１つのプロセッサは、１以上のモバイル装置からの最適量の干渉で動作することを容易にするように、インターフェアレンス・オーバー・サーマル（ＩｏＴ）メトリックを調節するようにさらに構成される、（９）の無線通信装置。
（１４）前記少なくとも１つのプロセッサは、前記規定されたサイレンスインターバル中にアップリンクの熱雑音を測定し、且つ前記熱雑音に少なくとも部分的に基づいて前記ＩｏＴメトリックを調節するようにさらに構成される、（１３）の無線通信装置。
（１５）前記少なくとも１つのプロセッサは、前記サイレンスインターバル中に１以上の公共安全通信を受信するようにさらに構成される、（９）の無線通信装置。
（１６）１以上のＯＦＤＭシンボル期間の１以上の部分に基づいてサイレンスインターバルを作る手段と、通信装置がサイレンスインターバル中に通信を停止することができるように、１以上の前記モバイル装置に前記サイレンスインターバルに関する情報を送信する手段と、を具備する１以上のサイレンスインターバルを規定することを容易にする無線通信装置。
（１７）前記サイレンスインターバルは、インターバルＯＦＤＭシンボル期間、前記期間中のオフセット、及び／又は継続期間のうちの１以上によって規定される、（１６）の無線通信装置。
（１８）前記サイレンスインターバル中にアップリンクの熱雑音レベルを測定する手段をさらに具備する、（１６）の無線通信装置。
（１９）前記熱雑音に少なくとも部分的に基づいてインターフェアレンス・オーバー・サーマル（ＩｏＴ）レベルを調節する手段をさらに具備する、（１８）の無線通信装置。
（２０）前記サイレンスインターバル中に高電力の公共安全通信又は範囲外の通信を受信する手段をさらに具備する、（１６）の無線通信装置。
（２１）前記サイレンスインターバルに関連する前記情報は、ビーコン信号の一部として１以上のモバイル装置に伝送される、（１６）の無線通信装置。
（２２）ピアツーピア通信は、前記サイレンスインターバル中に容易にされる、（１６）の無線通信装置。
（２３）少なくとも１つのコンピュータに、１以上の送信装置が通信を停止することができる１以上のＯＦＤＭシンボル期間を有するサイレンスインターバルを決定させるためのコードと、前記少なくとも１つのコンピュータに前記サイレンスインターバル中にタスクを実行させるためのコードと、を備えるコンピュータ読取可能媒体を具備するコンピュータプログラム製品。
（２４）前記サイレンスインターバルは、ＯＦＤＭシンボル期間、前記期間中のオフセット、及び／又は継続期間のうちの１以上によって規定され、前記実行されるタスクは、送信器の熱雑音レベルを測定することである、（２３）のコンピュータプログラム製品。
（２５）無線通信システム内で、１以上のＯＦＤＭシンボル期間の１以上の部分に基づいてサイレンスインターバルを作り、モバイル装置が前記サイレンスインターバル中に通信を停止することができるように、１以上の前記モバイル装置に前記サイレンスインターバルに関する情報を伝送する、ように構成されるプロセッサと、
前記プロセッサに結合されるメモリと、を具備する装置。
（２６）サイレンスインターバル中に通信を沈黙させることを容易にする方法であって、１以上のＯＦＤＭシンボル期間の１以上の部分に関連するサイレンスインターバルメトリックを得ることと、前記サイレンスインターバル中に伝送を沈黙させることと、を具備する方法。
（２７）前記サイレンスインターバルは、スーパーフレームのＯＦＤＭインターバルシンボル期間、前記サイレンスインターバルを開始するためのスーパーフレーム中のオフセット、及び前記サイレンスインターバルの継続時間によって規定される、（２６）の方法。
（２８）前記伝送を沈黙させることは、前記規定されたサイレンスインターバルの一部である１以上の物理（ＰＨＹ）伝送フレームの関連するサブバンドを遮ることを有し、このサブバンドは、少なくとも制御又はデータチャネルに対して規定する、（２６）の方法。
（２９）前記関連サブバンドは、伝送に利用可能な略全てのサブバンドを有する、（２８）の方法。
（３０）前記伝送を沈黙させることは、基地局の熱雑音測定を容易にする、（２６）の方法。
（３１）前記サイレンスインターバル中にモバイル装置とピアツーピア通信することをさらに具備する（２６）の方法。
（３２）緊急情報を伝達するために、前記サイレンスインターバル中に他の範囲外の無線通信装置と通信するために高電力で伝送することを具備する（２６）の方法。
（３３）前記サイレンスインターバルメトリックは、前記サイレンスの発生を要求する基地局から得られる、（２６）の方法。
（３４）前記サイレンスインターバルメトリックは、ビーコン信号によって前記基地局から受信される、（３３）の方法。
（３５）サイレンスインターバル中に、サイレンスのための、且つサイレンス通信のためのＯＦＤＭインターバル期間を有するサイレンスインターバル規定を受信するように構成される少なくとも１つのプロセッサと、前記少なくとも１つのプロセッサに結合されるメモリと、を具備する無線通信装置。
（３６）前記サイレンスインターバル規定は、ＯＦＤＭスーパーフレーム、前記スーパーフレーム中のオフセット、及び継続時間を有する、（３５）の無線通信装置。
（３７）前記サイレンスインターバル規定は、前記サイレンスインターバル中に沈黙させられるべきサブバンドの一部をさらに有する、（３６）の無線通信装置。
（３８）前記サイレンスインターバル規定は、前記サイレンスインターバル中に熱雑音を測定するように要求する基地局から受信される、（３５）の無線通信装置。
（３９）前記少なくとも１つのプロセッサは、前記サイレンスインターバル中に他の無線通信装置とピアツーピア通信するようにさらに構成される、（３５）の無線通信装置。
（４０）前記少なくとも１つのプロセッサは、前記サイレンスインターバル中に高電力の緊急信号を伝送するようにさらに構成される、（３５）の無線通信装置。
（４１）前記サイレンスインターバル規定は、前記サイレンスの発生を要求する基地局から受信される、（３５）の無線通信装置。
（４２）サイレンスインターバル規定を受信する手段と、ＯＦＤＭインターバル期間及び前記期間中のオフセットに基づいて前記サイレンスインターバルの開始を伝出する手段と、指定された継続期間に前記サイレンスインターバルの開始に通信を停止する手段と、を具備するサイレンスインターバル中にサイレンスを達成するための無線通信装置。
（４３）前記サイレンスインターバル規定によってさらに指定されるように１以上のサブバンドを沈黙させる手段をさらに具備する（４２）の無線通信装置。
（４４）前記通信を停止することは、基地局の熱雑音測定を容易にする、（４２）の無線通信装置。
（４５）前記基地局は、前記無線通信装置に前記サイレンスインターバル規定を伝送する、（４４）の無線通信装置。
（４６）前記サイレンスインターバル中にモバイル装置とピアツーピア通信することをさらに具備する（４２）の無線通信装置。
（４７）緊急情報を伝達するために、前記サイレンスインターバル中に他の範囲外の無線通信装置と通信するために、高電力で伝送することをさらに具備する（４２）の無線通信装置。
（４８）少なくとも１つのコンピュータに、１以上のＯＦＤＭシンボル期間の１以上の部分に関連するサイレンスインターバルメトリックを得るようにさせるためのコードと、少なくとも１つのコンピュータに、前記サイレンスインターバル中に伝送を沈黙させるためのコードと、を有するコンピュータ読取可能媒体を具備するコンピュータプログラム製品。
（４９）前記サイレンスインターバルは、スーパーフレームのＯＦＤＭインターバルシンボル期間、前記サイレンスインターバルを開始するための前記スーパーフレーム中のオフセット、及び前記サイレンスインターバルの継続期間によって規定される、（４８）のコンピュータプログラム製品。
（５０）無線通信システム内で、サイレンスインターバル規定を受信し、ＯＦＤＭインターバル期間及び前記期間中のオフセットに基づいてサイレンスインターバルの開始を検出し、指定された継続期間に、前記サイレンスインターバルの開始に通信を停止する、ように構成されるプロセッサと、前記プロセッサに結合されるメモリと、を具備する装置。
【外国語明細書】
2014014100000001.pdf